(57)【特許請求の範囲】
【請求項１】
ひげ剃り用カミソリカートリッジ（１０、１００、２００）であって、
ハウジング（１２、１０２、２０２）であって、前記ハウジングの前部にある一次ガード（１４、１０３、２０３）と、前記ハウジングの後部にある二次キャップ（１６、１０５、２０５）と、を有する、ハウジングと、
前記一次ガードと前記二次キャップとの間に配置された、一次キャップ表面（２８、１１２、２０８）及び二次ガード表面（３０、１１４、２１０）を有する、ブリッジ部材（２６、１０４、２０４）と、
刃先（２２）を有する第１の刃（１８）であって、前記一次ガードと前記一次キャップ表面との間で前記ハウジングに取り付けられた、第１の刃（１８）と、
前記第１の刃の前記刃先と同じ方向に延在する刃先（２４）を有し、前記二次ガード表面と前記二次キャップとの間で前記ハウジングに取り付けられている、第２の刃と、
前記ハウジング（１２）に取り付けられた一対のクリップ（３４ａ、３４ｂ）と、
を備え、
前記一次キャップ表面（２８、１１２、２０８）は、前記一次ガードとともに前記刃先（２２）のひげ剃り面を確立し、
前記二次ガード表面（３０、１１４、２１０）は、前記二次キャップとともに前記刃先（２４）のひげ剃り面を確立し、
前記クリップ（３４ａ、３４ｂ）は、前記ブリッジ部材と接触しない、ひげ剃り用カミソリカートリッジ。
【請求項２】
前記ブリッジ部材（２６）の前記上面（３２）が、前記刃先（２２）と同じ平面上には配置されていない、請求項１に記載のひげ剃り用カミソリカートリッジ（１０、１００、２００）。
【請求項３】
前記ブリッジ部材（２６）の前記上面（３２）が、前記刃先（２４）と同じ平面上には配置されていない、請求項１又は２のいずれか一項に記載のひげ剃り用カミソリカートリッジ（１０、１００、２００）。
【請求項４】
前記ブリッジ部材（２６）の前記上面（３２）が、前記刃先（２２）及び前記刃先（２４）に接する平面（Ｐ３）の上方０．０１ｍｍ〜０．２０ｍｍの平面（Ｐ１）上に配置されている、請求項１〜３のいずれか一項に記載のひげ剃り用カミソリカートリッジ（１０、１００、２００）。
【請求項５】
前記ブリッジ部材（２６）の前記上面（３２）が、前記刃先（２２）及び前記刃先（２４）に接するひげ剃り平面（Ｐ３）の下方にあるひげ剃り平面（Ｐ１）上に配置されている、請求項１に記載のひげ剃り用カミソリカートリッジ（１０、１００、２００）。
【請求項６】
前記平面（Ｐ１）が、前記平面（Ｐ３）の０．０１ｍｍ〜０．１５ｍｍ下方である、請求項５に記載のひげ剃り用カミソリカートリッジ（１０、１００、２００）。
【請求項７】
前記ブリッジ部材の幅（Ｗ２、Ｗ３、Ｗ５）が、前記第１の刃の前記刃先と、前記第２の刃の前記刃先との間の刃間スパン（Ｓ１）の５０％よりも大きい、請求項１〜６のいずれか一項に記載のひげ剃り用カミソリカートリッジ（１０、１００、２００）。
【請求項８】
前記刃間スパンが、３ｍｍよりも大きい、請求項７に記載のひげ剃り用カミソリカートリッジ（１０、１００、２００）。
【請求項９】
前記ブリッジ部材の幅（Ｗ２、Ｗ３、Ｗ５）が、２．５ｍｍ〜４ｍｍである、請求項１〜８のいずれか一項に記載のひげ剃り用カミソリカートリッジ（１０、１００、２００）。
【請求項１０】
前記ブリッジ部材（２６、１０４、２０４）が、前記第１の刃（１８）の刃支持部材（３６）から離間されている、請求項１〜９のいずれか一項に記載のひげ剃り用カミソリカートリッジ（１０、１００、２００）。
【請求項１１】
前記ブリッジ部材（２６、１０４、２０４）の位置が、前記ハウジング（１２、１０２、２０２）に対して固定されており、前記第１及び第２の刃（１８、２０）が、前記ハウジング内で一対のそれぞれのばね部材（６０、６２、６４、６６、１２４、１２６、１２８、１３０、２１６、２１８、２２０、２２２）上に取り付けられている、請求項１〜１０のいずれか一項に記載のひげ剃り用カミソリカートリッジ（１０、１００、２００）。
【請求項１２】
前記ブリッジ部材の上面（３２、１１６、２１２）が、前記クリップの上面（４８ａ、４８ｂ）と前記クリップの下面（５０ａ、５０ｂ）との間の平面（Ｐ１）上に配置されている、請求項１〜１１のいずれか一項に記載のひげ剃り用カミソリカートリッジ（１０、１００、２００）。
【請求項１３】
前記ブリッジ部材（１０４）が、水滲出性ひげ剃り補助要素を含む、請求項１〜１２のいずれか一項に記載のひげ剃り用カミソリカートリッジ（１０、１００、２００）。
【請求項１４】
前記ブリッジ部材（２０４）が、前記第１の刃（１８）の前記刃先（２２）に対して直角に延在する、複数の離間されたリブ（２０６）を含む、請求項１〜１３のいずれか一項に記載のひげ剃り用カミソリカートリッジ（１０、１００、２００）。
【請求項１５】
前記ブリッジ部材（２０４）が、複数の開口部（２１４）を画定する、請求項１４に記載のひげ剃り用カミソリカートリッジ（１０、１００、２００）。
【発明の詳細な説明】
【技術分野】
【０００１】
本発明は、ひげ剃り用カミソリに関し、より具体的には、２つのガードと、２つのキャップと、複数の刃と、を有する、ひげ剃り用カートリッジに関する。
【背景技術】
【０００２】
一般的に、ウェットシェービング式のひげ剃り用カミソリは、刃先を有する少なくとも１枚の刃を有するカートリッジ又は刃ユニットを含み、このカートリッジ又は刃ユニットが、カートリッジが取り付けられたハンドルによってひげを剃る皮膚の表面全体にわたって動かされる。カートリッジは、刃の切れ味が不充分なレベルにまで低下した時点でカートリッジを新しいカートリッジに交換することができるようにハンドルに取り外し可能に取り付けるか、又は刃が鈍った時点でカミソリ全体を捨てることを意図してハンドルに永久的に取り付けることができる（すなわち使い捨てカミソリ）。ハンドルとカートリッジとの接続は、カートリッジの角度が調節されてひげを剃る表面の輪郭を辿るように、ハンドルに対するカートリッジの枢動可能な取り付けを提供する。そのようなシステムでは、カートリッジは、カートリッジハウジング上のカム表面に当てられてハンドル上に担持された、ばねで付勢されるプランジャ（カムフォロワ）の作用によって、静止位置の方へ向かって付勢され得る。
【０００３】
カミソリカートリッジは通常、ひげ剃り中に刃の前方の皮膚と接触するガードと、刃の後方の皮膚と接触するキャップと、を含む。キャップ及びガードは、いわゆる「ひげ剃りジオメトリ」、すなわち、ひげ剃り中の皮膚に対する刃の向き及び位置を決定するパラメータを確立する助けとなり、このパラメータは、カミソリのひげ剃り性能及び効率に大きく影響する。キャップ及びガードは、刃の露出度を確立する助けとなり得る。刃の露出度は、刃先の前隣り及び後隣りの刃ユニットの要素の皮膚接触面に接する平面に対して測定した刃先の垂直距離又は高さとして定義される。したがって、３枚刃の刃ユニットでは、１番目の刃又は第１の刃の露出度は、ガード及び第２の刃の刃先に接する平面を基準として測定され、３番目の刃又は第３の刃の露出度は、第２の刃の刃先及びキャップに接する平面を基準として測定される。
【０００４】
最小許容露出度は、ガードの皮膚係合面から刃先までの距離、すなわち、第１の刃の「スパン」などの他の刃ユニット寸法によって影響され得る。本明細書において言及される際、「スパン」とは、刃先の直前の皮膚接触要素と刃先との間に延在する接線に沿って測定される、刃先からその刃先の直前の皮膚接触要素までの距離を意味する。ガードは、刃に対する支持を提供するハウジング又はプラットフォーム構造と一体に形成され得る、ほぼ剛性のガードバーを含み得る。ガードは更に、皮膚を引き伸ばし、かつ／又は刃の前方の毛髪を整列させることを意図した様々な種類の弾性材料で作製された皮膚引き伸ばし要素を含み得る。
【０００５】
複数の刃を備えたカートリッジを有する安全カミソリは、近年、膨大な数が販売されており、１枚刃のカミソリと比較して、特に深剃りに関して、より質の高いひげ剃りを提供するものとして一般に認知されている。多くの刃を有する刃ユニットは、１枚又は２枚の刃のみを有する同様の刃ユニットよりも深剃りを与えることができる。しかしながら、得られるひげ剃りの深剃り度はカミソリのユーザがカミソリの性能を判断するうえでの１つのパラメータに過ぎない。考慮される別の重要な特性として快適性がある。例えば、多くの消費者は、自分が、傷、切り傷、及び刺激に弱い敏感肌を有するとしている。ひげを剃る人によって「引き攣れ」感としてしばしば述べられるひげ剃りにおける不快感は、刺激される毛包の周囲の神経によって引き起こされる。この神経の刺激は、毛髪を動かすこと、毛髪を引っ張る、かつ／又は切断すること、及び皮膚の表面上でカミソリカートリッジを引くことによって発生し得る。
【０００６】
更に、多くの消費者が、ひげ剃りを不快なものにするニキビ及び／又は仮性毛包炎毛瘡（ＰＦＢ）に悩まされている。ＰＦＢすなわちひげ剃り後のぶつぶつは、丘疹及び膿疱を伴う異物炎症反応である。これは、もともと硬い、又は強く巻いた毛髪を有する成人男性、特に普段から深剃りをする成人男性に主にみられる、一般的な皮膚科学的状態である。皮膚の表皮に再び入り込む、又は毛包の壁を横断する深剃りによって切り詰められた顔の毛髪の先端は、患部に局在化した炎症反応を生じさせる。このプロセスによって、皮膚の二次感染が生じ、重篤な場合では永久的な瘢痕が生じる場合がある。
【発明の概要】
【発明が解決しようとする課題】
【０００７】
したがって、より快適なひげ剃り性を提供し、かつ／又は顔及び身体を剃毛することにより生じる皮膚の問題（例えば、ＰＦＢ、刺激、発赤、ひげ剃り後の毛穴のぶつぶつ、埋没毛、ニキビなど）を低減するひげ剃り用カミソリカートリッジが求められている。
【課題を解決するための手段】
【０００８】
一態様において、本発明は一般的に、ハウジングの前部にある一次ガードと、ハウジングの後部にある二次キャップとを有するハウジングを備えたひげ剃り用カミソリカートリッジに関する。一次キャップ表面と二次ガード表面とを有するブリッジ部材が、一次ガードと二次キャップとの間に配置される。第１の刃は刃先を有する。第１の刃は、一次ガードと一次キャップ表面との間でハウジングに取り付けられる。第１の刃の刃先と同じ方向に延在する刃先を有する第２の刃が、二次ガード表面と二次キャップとの間でハウジングに取り付けられる。ブリッジ部材の幅は、第１の刃の刃先と第２の刃の刃先との間の刃間スパンの５０％よりも大きく、刃間スパンは３ｍｍよりも大きい。
【０００９】
別の態様において、本発明は、一般的に、ハウジングの前部に一次ガード、及びハウジングの後部に二次キャップを有するハウジングを備えたひげ剃り用カートリッジを備えたひげ剃り用カートリッジに関する。一次キャップ表面と二次ガード表面とを有するブリッジ部材が、一次ガードと二次キャップとの間に配置される。ブリッジ部材は、第１の刃の刃先に対して直角に延在し、複数の開口部を画定する、複数の離間された複数のリブを有する。第１の刃は、刃先を有する。第１の刃は、一次ガードと一次キャップ表面との間でハウジングに取り付けられる。第１の刃の刃先と同じ方向に延在する刃先を有する第２の刃が、二次ガード表面と二次キャップとの間でハウジングに取り付けられる。ブリッジ部材の幅は、約２．５ｍｍ〜約４ｍｍである。
【００１０】
別の態様において、本発明は、一般的に、ハウジングの前部に一次ガード、及びハウジングの後部に二次キャップを有するハウジングを備えたひげ剃り用カートリッジに関する。ブリッジ部材が、一次ガードと二次キャップとの間に配置される一次キャップ表面及び二次ガード表面を有する。第１の刃は刃先を有する。第１の刃は、一次ガードと一次キャップ表面との間でハウジングに取り付けられる。第２の刃が、第１の刃の刃先と同じ方向に延在する刃先を有する。この第２の刃は、二次ガード表面と二次キャップとの間でハウジングに取り付けられている。ブリッジ部材の上面は、刃先の位置とは独立して配置されている。
【００１１】
本発明の１つ以上の実施形態の詳細を、添付図面及び以下の明細書に記述する。本発明のその他の特徴及び利点は、明細書及び図面、並びに特許請求の範囲から明らかとなるであろう。
【図面の簡単な説明】
【００１２】
【図１】ひげ剃り用カミソリカートリッジの平面図である。
【図２Ａ】図１の線２−２に沿って概ね得られたひげ剃り用カミソリカートリッジの断面図である。
【図２Ｂ】図１の線２−２に沿って概ね得られたひげ剃り用カミソリカートリッジの斜視断面図である。
【図３Ａ】図１のひげ剃り用カミソリカートリッジの組立図である。
【図３Ｂ】ひげ剃り用カミソリカートリッジの別の可能な実施形態の組立図である。
【図３Ｃ】ひげ剃り用カミソリカートリッジの別の可能な実施形態の組立図である。
【図４Ａ】図１のひげ剃り用カミソリカートリッジの概略図である。
【図４Ｂ】図１のひげ剃り用カミソリカートリッジの別の概略図である。
【図４Ｃ】図１のひげ剃り用カミソリカートリッジの別の概略図である。
【発明を実施するための形態】
【００１３】
図１を参照すると、ひげ剃り用カミソリカートリッジ１０の平面図が示されている。ひげ剃り用カミソリカートリッジ１０は、ハウジング１２の前方に向かう一次ガード１４、及びハウジング１２の後方に向かう二次キャップ１６を有するハウジング１２を含み得る。特定の実施形態では、一次ガード１４と二次キャップ１６との間でハウジング１２に取り付けられた第１の刃１８及び第２の刃２０があってよい。刃１８及び２０の各々は、同じ方向（例えば、一次ガード１４に向かう）に面したそれぞれの刃先２２及び２４を有し得る。刃１８及び２０はハウジング１２内でばね上げされてよく、これにより、刃１８及び２０は１つ以上のクリップ３４ａ及び３４ｂに対して付勢されている。特定の実施形態では、クリップ３４ａ及び３４ｂは、刃１８及び２０がひげ剃りストロークの間に上下方向に動くことを許容することができる。
【００１４】
ブリッジ部材２６は、第１の刃１８と第２の刃２０との間に配置することができる。ブリッジ部材２６は、一次キャップ表面２８及び二次ガード表面３０を有し得る。したがって、一次ガード１８及び一次キャップ表面２８は、第１の刃先２２のひげ剃り面を確立することができる。同様に、二次ガード表面３０と二次キャップ１６とは、第２の刃先２４のひげ剃り面を確立することができる。一次キャップ表面２８及び二次ガード表面３０は、ブリッジ部材２６及びハウジング１２と一体成形された一体型部材とすることができる。ブリッジ部材２６は、一次キャップ表面２８と二次ガード表面３０との間に上面３２を有することができる。
【００１５】
下記により詳細に説明するように、刃１８及び２０はハウジング１２に固定することができ、少なくとも１つのクリップ３４ａ及び３４ｂをハウジング１２の一部の周囲で折り曲げることができる。クリップ３４ａ及び３４ｂは、刃１８及び２０とブリッジ部材２６をハウジング１２に固定している２つの別々の要素として示されているが、クリップ３４ａ及び３４ｂは単一の部品の構成としてもよい。更に、ハウジング１２に対して刃１８及び２０とブリッジ部材２６を固定するために必ずしもクリップ３４ａ及び３４ｂをハウジング１２の一部の周囲で折り曲げる、又は形成する必要がない場合もある。例えば、クリップ３４ａ及び３４ｂは、ハウジング１２に対してスナップ嵌め、圧入、接着剤による接着、又は超音波溶着することができる。クリップ３４ａ及び３４ｂは、金属（例えば、アルミニウム又はステンレス鋼）又はポリマー材料（例えば、Ｎｏｒｙｌ（登録商標）（Ｇｅｎｅｒａｌ  Ｅｌｅｃｔｒｉｃ  Ｐｌａｓｔｉｃｓ、現在のＳＡＢＩＣ  Ｉｎｎｏｖａｔｉｖｅ  Ｐｌａｓｔｉｃｓが開発したポリフェニレンオキサイド（ＰＰＯ）及びポリスチレンの混合物）、アクリロニトリルブタジエンスチレン（ＡＢＳ）、アセタール、ポリプロピレン、耐衝撃性ポリスチレン、又はこれらの任意の組み合わせ）を含み得る。クリップ３４ａ及び３４ｂは、それぞれの刃１８及び２０の刃先２２及び２４と接触してもよい。特定の実施形態では、クリップ３４ａ及び３４ｂは、一次キャップ表面２８及び／又は二次ガード表面３０から離間され得る（すなわち、接触しない）。クリップ３４ａ及び３４ｂをブリッジ部材２６からの離間によって、ブリッジ部材２６並びに刃先２２及び２４の適正な皮膚との接触を促すことができる。例えば、クリップ３４ａ及び３４ｂがブリッジ部材２６を覆うように、又はその周囲に延在している場合、クリップ３４ａ及び３４ｂは、刃先２２及び２４と皮膚及び毛髪との適正な接触を防止し得る。更に、ブリッジ部材２６の位置は、クリップ３４ａ及び３４ｂの下面によって限定されることになる。特定の実施形態では、ブリッジ部材２６の一次キャップ表面２８及び二次ガード表面３０を、刃先２２及び２４の上側の平面上に配置することが有利となり得る。刃先は、クリップ３４ａ及び３４ｂの下面に対して予め負荷を掛けておくことができる。刃先２２及び２４の上側にブリッジ部材２６を配置することにより、より快適なひげ剃りを可能とすることができる。
【００１６】
理論に束縛されることなく、毛髪を皮膚レベルの近くにまで切るが、ただし、皮膚の表面の下では切らないことによって、皮膚の刺激及びＰＦＢを最小限に抑えることが可能であると考えられる。複数刃のひげ剃り用カミソリカートリッジは、ヒステリシス効果として知られる利点を利用している。ヒステリシスは、ひげ剃り中に毛髪が切断された後に発生する準安定的な毛髪の伸張である。現行のカミソリでは、カートリッジの鋭い刃先がひげ剃りストローク中に個々の毛髪と係合し、皮膚の表面全体にわたってカミソリが動かされる際に毛髪に力を作用させて毛髪を毛包から外に脱出させる。毛が切断され、力が除かれると、毛髪は皮膚内に引っ込む。しかしながら、複数刃システムでは、後方の刃（すなわち２番目の刃）が毛髪と係合し、毛髪が皮膚内に引っ込む前に切断する。毛髪が皮膚内に完全に引っ込む前に毛髪を切断するこのような連続刃の概念は、「ヒステリシス切断」として知られている。第２の連続刃も更に毛髪に係合して、切断を行いながら毛髪を引っ張る場合には、１枚刃のカミソリを使用する場合よりもかなりの深剃りを行うことが可能になる。
【００１７】
複数の近く離間している刃を有するカミソリカートリッジでは、１本の毛髪が１回の切断動作の間に複数の刃と係合し得るため、神経の刺激及び不快感が増幅される。それほど近く離間していない刃は、１回の切断動作で同じ毛髪と係合する確率が低くなることから、神経刺激及び不快感を増幅させる傾向は低くなる。理論に束縛されることなく、１本の毛髪が切断動作の間に複数の刃と係合する確率を低くすることで、不快な神経刺激を低減することができると考えられる。更に、１本の毛髪が切断動作の間に複数の刃と係合する確率を低くすることにより、毛髪が皮膚の表面に近すぎるところまで、又はその下にまで切断されること（これにより、毛髪が皮膚の表皮に再び入り込んだ毛髪から生育することが制限され得る）を防止する助けとなる。
【００１８】
図２Ａ及び２Ｂを参照すると、図１の２−２線に概ね沿った、ひげ剃り用カミソリカートリッジ１０の断面図が示されている。図２Ａは、側面断面図を示し、図２Ｂは、斜視断面図を示す。刃１８及び２０は、それぞれの刃支持部材３６及び３８を有し得る。刃支持部材３６及び３８は、刃１８及び２０の一体部分とすることもでき、又は代替的に、刃１８及び２０を、対応する刃支持部材３６及び３８に取り付けることもできる。刃支持部材３６及び３８は、ハウジング１２の対応する刃スロット４０及び４２内に配置することができる。特定の実施形態では、第１の刃１８（例えば刃支持部材３６）をブリッジ部材２６から離間することで、その間にすすぎ通路４４を画定することができる（図２Ｂを参照）。これにより、第２の刃２０が毛髪と係合しこれを切断する際に存在するひげ剃り破片を少なくすることができ、より効率的かつ快適なひげ剃りにつながる。
【００１９】
一次キャップ表面２８及び二次ガード表面３０を円弧状にして、快適な皮膚支持表面を提供することができる。一次キャップ表面３０と二次ガード表面２８との間のブリッジ部材２６の上面３２は、平坦とすることができる。ブリッジ部材２６は、平坦な長方形として示されているが、丸みを帯びた表面、又は他の形状など、他の多くの形状も可能である点は理解されよう。ブリッジ部材２６の上面３２は、クリップ３４ｂの上面４８ｂと下面５０ｂとの間の平面Ｐ１上に配置することができる。図２Ａ及び２Ｂには１つのみのクリップ３４ｂが示されているが、クリップ３４ａも、対応する上面及び下面を有することができる点は理解されよう。下記でより詳細に説明するように、ブリッジ部材２６（例えばブリッジ部材の上面３２）をクリップ３４ａ及び３４ｂから離間する（すなわち接触していない）ことで、適正なひげ剃りジオメトリが促進され、ひげ剃りストロークにおいてクリップ３４ａ及び３４ｂが閉塞することを抑制することができる。したがって、ブリッジ部材２６の位置（例えば、刃１８及び２０の刃先２２及び２４に対するブリッジ部材２６の高さ）は、クリップ３４ａ及び３４ｂとは独立したものとすることができる。例えば、ブリッジ部材２６の上面３２は、クリップ３４ｂの上面４８ｂ及び刃先２２及び２４の上側に配置することができる。ブリッジ部材２６の上面３２も同様にクリップ３４ａの上面４８ａ（図示せず）の上側に配置することができる点は理解されよう。
【００２０】
ブリッジ部材２６は、ブリッジ部材２６の上面３２の下側にキャビティ５２を画定することができる。キャビティ５２は、ハウジング１２の改善された製造性を提供することができる。ブリッジ部材２６の位置は、一次ガード１４に対して固定することができる。例えば、ブリッジ部材２６と一次ガード１４を、ハウジング１２の一部として一体形成することができる。しかしながら、刃先２２及び２４は、クリップ３４ｂ（及びクリップ３４ａ、図示せず）の下面５０ｂに対して予め負荷を掛けておくことができる。したがって、刃先２２及び２４は、ブリッジ部材２６の位置が固定された状態でひげ剃りストロークの間に浮動する（すなわち、クリップ３４ａ及び３４ｂに近づく、及び離れるように上下方向に動く）ことができる。理論に束縛されることなく、浮動する刃とひげ剃り面を確立する固定された表面（例えば、一次ガード１４、一次キャップ２８、二次ガード表面３０、及び二次キャップ１６）との組み合わせによって、より安定した快適なひげ剃りを提供することができると考えられる。
【００２１】
特定の実施形態では、第１の刃１８の刃先２２と第２の刃２０の刃先２４との間の刃間スパン「Ｓ１」は、３．０ｍｍよりも大きくすることができる。例えば、第１の刃１８の刃先２２と第２の刃２０の刃先２４との間の刃間スパン「Ｓ１」は、約３ｍｍ〜約６ｍｍとすることができる。特定の実施形態では、刃間スパンＳ１は約４．０ｍｍ〜約５ｍｍとすることができる。一次ガード１４と第１の刃１８の刃先２０との間のスパン「Ｓ２」は、約０．５ｍｍ〜約０．８ｍｍとすることができる。二次ガード表面２８と第２の刃２０の刃先２２との間のスパン「Ｓ３」は、約０．３ｍｍ〜約０．７ｍｍとすることができる。刃間スパンＳ１は、不快感及び毛髪の皮膚表面よりも下までの切断につながり得る毛髪の二重係合及びヒステリシスを最小に抑える助けとなり得る。
【００２２】
一次ガード１４は、約０．３５ｍｍ〜約０．８５ｍｍの幅「Ｗ１」を有し得る。ブリッジ部材２６は、Ｗ１よりも大きい幅「Ｗ２」を有することができる。幅「Ｗ２」は、刃先２２及び２４に接する平面Ｐ２（例えば、平面Ｐ２はクリップ３４ｂの下面５０ｂに位置し得る）で測定される、ブリッジ部材２６の（前後方向の）全体の幅として測定することができる。特定の実施形態では、Ｗ２は、約１．７５ｍｍ〜約４ｍｍ、好ましくは約２ｍｍ〜約３ｍｍとすることができる。ブリッジ部材２６の幅は、適正なひげ剃りジオメトリの確立を助け、毛髪が皮膚表面よりも下で切断されることを防止することができる。例えば、ブリッジ部材２６の幅Ｗ２は、刃先２２及び２４間に充分な間隔を与えて、毛髪が第１の刃１８の刃先２２により切断された後、第２の刃２０の刃先２４が係合する前に毛包内に再び引っ込むことを可能とし得る。更に、ブリッジ部材２６の幅及び間隔は、毛髪の二重係合（例えば、刃先２２及び２４が両方とも同時に同じ毛髪と係合するとき）を低減することができる。刃間スパンＳ１が大きくなるにしたがい（図２Ａを参照）、刃先２２と２４との間での皮膚の膨らみもまた大きくなり、これにより傷及び切り傷が増える結果につながり得る。ブリッジ部材２６の幅は、特に刃間スパンＳ１が大きくなる場合に、傷、切り傷、及び不快感につながり得る皮膚の膨らみを最小限に抑えるうえで充分な皮膚の支持を提供することができる。
【００２３】
特定の実施形態では、ブリッジ部材２６の幅「Ｗ２」は、刃間スパンＳ１の４５％よりも大きくすることができる。例えば、ブリッジ部材２６の幅「Ｗ２」は、刃間スパンＳ１の約５０％〜約７５％とすることができる。したがって、刃間スパンＳ１が４．０ｍｍであった場合、ブリッジ部材２６の幅Ｗ２は、２．０ｍｍよりも大きくすることができる。特定の実施形態では、ブリッジ部材２６の幅「Ｗ２」は、刃間スパンＳ１の約６０％〜約７０％とすることができる。大きな幅を有するブリッジ部材２６は、皮膚の膨らみを低減させる一方で、同時に毛髪の二重係合及びヒステリシスを最小限に抑えることにより、より快適なひげ剃りにつながる高い皮膚の支持を提供することができる。
【００２４】
図３Ａを参照すると、ひげ剃り用カミソリカートリッジ１０の組立図が示されている。ブリッジ部材２６は、ハウジング１２の一部として一体成形することができる。刃１８は、一対のばね部材６０及び６２上でハウジング１２に取り付けることができる。同様に、刃２０は、一対のばね部材６４及び６６上でハウジング１２に取り付けることができる。ばね部材６０、６２、６４、及び６６は、対応するクリップ３４ａ及び３４ｂの下面５０ａ及び５０ｂに対して刃先２２及び２４に予め負荷を掛けておくことができる。ブリッジ部材２６の一対の外側端部５４及び５６（例えば、一次キャップ２８の外側端部、及び二次ガード表面３０の外側端部）をクリップ３４ａ及び３４ｂから離間（すなわち、接触させずに）することができる。これにより、クリップ３４ａ及び３４ｂを、ブリッジ部材２６とは独立した深さでハウジング１２に取り付けることができる。例えば、クリップ３４ａ及び３４ｂがハウジング１２に取り付け及び固定されるとき、クリップ３４ａ及び３４ｂの上面４８ａ及び４８ｂは、ブリッジ部材２６の上面３２とほぼ同じ高さとなり得るため、より均一なひげ剃り表面が提供される。
【００２５】
ブリッジ部材２６の上面３２は、ブリッジ部材２６上にブランド名を表記することを可能とすることができる。例えば、記章又はロゴ５８は、機械加工、エッチング、金型仕上げ、塗装、パッド印刷などによって上面３２上に配置されてもよい。特定の実施形態では、ブリッジ部材２６の上面３２は、ひげ剃りストローク中の滑りを改善するために、光沢表面（例えば、６０００グリットダイヤモンドバフ〜１２００グリットダイヤモンドバフ）を有してもよい。ブリッジ部材２６は、コーティング（ポリ−ｐａｒａ−キシリレン又はＰＴＦＥ）又はめっき（例えばクロームめっき）することで潤滑性を改善することができる。代替的に、ブリッジ部材２６の上面３２は、ひげ剃りストロークの間に皮膚の剥落を提供するように極めて粗い表面を有してもよい（例えば、６００グリット以下のストーン）。
【００２６】
図３Ｂを参照すると、水滲出性のひげ剃り補助要素を含むブリッジ部材１０４を備えたハウジング１０２を有する、ひげ剃り用カミソリカートリッジ１００の第２の可能な実施形態の組立図が示されている。図３Ａのひげ剃り用カートリッジ１０のブリッジ部材２６を、ブリッジ部材１０４に置き換えることができる。例えば、ブリッジ部材１０４は、ブリッジ部材２６に関して上記に述べたように、ハウジングの一次ガード１０３と二次キャップ１０５との間にハウジング１０２の一部として一体成形することができる。ブリッジ部材１０４は、潤滑部材１１０を受容するように構成された開口部１０８を画定する上面１０６を含むことができる。開口部１０８は凹部であってよく、又はブリッジ部材１０４を完全に貫通していてもよい。しかしながら、潤滑部材１１０は任意選択的である点は理解されたい。例えば、特定の実施形態では、開口部１０８は、改善された洗い流し及び破片の除去性を可能にするように、開放した状態とすることができる。潤滑部材１１０は、１つ以上の水滲出性ひげ剃り補助要素を含むことができる。水滲出性ひげ剃り補助要素は、射出成形、押出成形、又は熱／超音波圧縮製造プロセスにより形成することができる。ブリッジ部材１０４（例えば潤滑部材１１０）は、一次キャップ表面１１２及び二次ガード表面１１４を提供することができる。したがって、潤滑部材１１０は、第１の刃１８の後面及び第２の刃２０の前面に潤滑性を提供し、これにより、刺激を低減し、又はひげ剃り剤の必要性をなくすことができる。一次キャップ表面１１２及び／又は二次ガード表面１１４は、快適な皮膚支持表面を提供するように、円弧状とすることができる。ブリッジ部材１０４の潤滑部材１１０は、一次キャップ表面１１２と二次ガード表面１１４との間に上面１１６を有することができる。上面１１６は、上記に述べたように、ブランド名を表記することを可能とすることができる。例えば、上面１１６にロゴ１１８を配置することができる。
【００２７】
クリップ３４ａ及び３４ｂがハウジング１０２に固定されるとき、クリップ３４ａ及び３４ｂは潤滑部材１１０の上面１１６及び／又は一次キャップ表面１１２並びに二次ガード表面１１４とほぼ同じ高さとなるため、より均一なひげ剃り表面を提供することができる。図３Ａのひげ剃り用カミソリカートリッジ１０と同様、クリップ３４ａ及び３４ｂは、ブリッジ部材１０４及び／又は潤滑部材１１０から離間することができる。ブリッジ部材１０４は、一次キャップ表面１１２から二次ガード表面１１４まで約１．５ｍｍ〜約４ｍｍの前縁部１２０から後縁部１２２までの幅「Ｗ３」を有することができる。潤滑部材１１０は、約１．５ｍｍ〜約４ｍｍの幅「Ｗ４」を有することができる。ブリッジ部材１０４及び／又は潤滑部材１１０の幅は、毛髪の二重係合を最小限に抑え、毛髪が皮膚表面よりも下にまで切断されることを防止する、適正なひげ剃りジオメトリを可能とすることができる。
【００２８】
刃１８及び２０は各々、一対の対応したばねフィンガ１２４、１２６、１２８及び１３０上に取り付けることができる。図３Ａのひげ剃り用カミソリカートリッジ１０について上記に述べたように、クリップ３４ａ及び３４ｂは刃１８及び２０に掛かるがブリッジ部材１０４には掛からないように取り付けることができる。次いで、クリップ３４ａ及び３４ｂをハウジング１０２に固定することができる。ばねフィンガ１２４、１２６、１２８及び１３０は、クリップ３４ａ及び３４ｂに対してそれぞれの刃１８及び２０を持ち上げることができる。ブリッジ部材１０４に対する刃１８及び２０の独立した運動によって、より安定したひげ剃りジオメトリを提供することにより、より快適なひげ剃りを提供することができる。図２Ｂにおいて上記に示し、述べたように、刃２０は、改善された洗い流し性を提供するように、ブリッジ部材１０４から離間させることができる。
【００２９】
図３Ｃを参照すると、刃１８及び２０の刃先２２及び２４に対して横断方向に延在する、複数の離間された平行なリブ２０６を含むブリッジ部材２０４を備えたハウジング２０２を有する、ひげ剃り用カミソリカートリッジ２００の第３の可能な実施形態の組立図が示されている。ハウジング２０２は、ブリッジ部材２６をブリッジ部材２０４で置き換えることができる点以外は、図３Ａで上記に示し、述べたようなハウジング１２と同様であってよい。ブリッジ部材２０４は、ハウジング２０２上の一次ガード２０３と二次キャップ２０５との間にハウジング２０２の一部として一体成形され得る。ブリッジ部材２０４は、上記に述べたブリッジ部材２６と同様の効果を提供することができる。離間された平行なリブ２０６は、第２の刃２０の前方で毛髪を揃えて切断効率を改善する、更なる効果を提供することができる。複数の離間された平行なリブ２０６は、一次キャップ表面２０８及び二次ガード表面２１０を提供することができる。ブリッジ部材２０４は、一次キャップ表面２０８と一次ガード表面２１０との間に延在する上面２１２を有することができる。ブリッジ部材２０４は、約１．５ｍｍ〜約４ｍｍの一次キャップ表面２０８から二次ガード表面２１０までの幅「Ｗ５」を有することができる。ブリッジ部材２０４の幅は、毛髪の二重係合を最小限に抑え、毛髪が皮膚表面よりも下にまで切断されることを防止する、適正なひげ剃りジオメトリを可能とすることができる。複数の離間された平行なリブ２０６は、ブリッジ部材２０４を貫通して延在する複数の対応する洗い流し開口部２１４を画定して、切断された毛髪、及び余分なひげ剃り剤又は石鹸の除去を助けることができる。
【００３０】
刃１８及び２０は各々、一対のそれぞれのばね指２１６、２１８、２２０、及び２２２上に取り付けられ得る。図３Ａのひげ剃り用カミソリカートリッジ１０について前述したように、クリップ３４ａ及び３４ｂは、刃１８及び２０に掛かるが、ブリッジ部材２０４には掛からないように取り付けられ得る。他の実施形態について上記に述べたように、刃２０は、改善された洗い流し性を提供するように、ブリッジ部材２０４から離間させることができる。次いで、クリップ３４ａ及び３４ｂをハウジング１２に固定することができる。ばね指２１６、２１８、２２０、及び２２２は、クリップ３４ａ及び３４ｂに対してそれぞれの刃１８及び２０を持ち上げることができる。ブリッジ部材２０４に対する刃１８及び２０の独立した移動によって、より安定したひげ剃り形状を提供することにより、より快適なひげ剃りを提供することができる。
【００３１】
図４Ａを参照すると、図１のひげ剃り用カミソリカートリッジ１０の実現可能な概略図が示されている。刃に関連した牽引力に影響し得る別の因子は、刃接線角度、すなわちＢＴＡである。ひげ剃り用カミソリカートリッジ１０は、一次ガード１４及び一次キャップ表面２８に接する第１のひげ剃り平面７０を有し得る。第１のひげ剃り平面７０は、第１の刃接線角度β１で第１の刃１８の刃面７２と交差することができる。ひげ剃り用カミソリカートリッジ１０は、二次ガード表面３０及び二次キャップ１６に接する第２のひげ剃り平面７４を有し得る。第２のひげ剃り平面７４は、第２の刃接線角度β２で第２の刃２０の第２の刃面７６と交差することができる。刃接線角度が小さいほど、ひげ剃り用カミソリカートリッジ１０でより快適なひげ剃りを行うことができる。特定の実施形態では、第１の刃接線角度β１は、約１５°、例えば１０°〜２５°とすることができる。刃１８及び２０が両方とも同じ刃接線角度を有する必要はない。例えば、第２の刃接線角度β２は、第１の刃１８の刃接線角度β１よりも、例えば約１０°小さくすることができる。図３Ｂ及び３Ｃに示されるひげ剃り用カミソリカートリッジ１００及び２００はそれぞれ、図４で述べたものと同じ刃接線角度を有することができる点は理解されたい。
【００３２】
図４Ｂを参照すると、図１のひげ剃り用カミソリカートリッジ１０の実現可能な概略図が示されている。特定の実施形態では、ブリッジ部材２６の上面３２は、刃先２２及び刃先２４の位置とは独立して配置されてもよい（例えば、ブリッジ部材２６は、クリップ３４ａ及び３４ｂに対して位置合わせされなくてもよい）。ブリッジ部材２６の上面３２は、刃１８の刃先２２と同じ平面上に配置されなくてもよく、第２の刃２０の刃先２４と同じ平面上に配置されなくてもよい。例えば、ブリッジ部材２６の上面３２は、第１の刃１８の刃先に接し、かつ第２の刃２０の刃先２４に接する平面Ｐ３の上方約０．０１ｍｍから、平面Ｐ３の上方約０．２０ｍｍまで、平面Ｐ１上に配置されてもよい。平面Ｐ３の上方のブリッジ部材２６の上面３２の配置は、皮膚上の刃先２２及び２４の負荷を減少させることによって、改善された快適性を提供することができる。ただし、上面３２は、刃先２２及び２４が効率的に毛髪を切断しないように平面Ｐ３の上方に離れないように配置されてもよい。したがって、ひげ剃りの快適性は、ヒステリシス効果、及びブレード負荷の減少（すなわち、ブレードの刃先によって皮膚に加えられる圧力）の両方を低減することによって、更に増大され得る。ひげ剃りの快適性レベルは、刃先２２及び２４の位置を決定するクリップ３４ａ及び３４ｂの位置とは完全に独立して制御され得る。一次ガード１４及び二次キャップ１６は、刃先２２及び２４、並びに／又は３２の上面の下方に配置されてもよい。
【００３３】
図４Ｃを参照すると、図１のひげ剃り用カミソリカートリッジ１０の実現可能な概略図が示されている。ひげ剃り用カミソリカートリッジ１０のブリッジ部材２６の上面３２は、第１の刃１８及び第２の刃２０の刃先２２及び２４にそれぞれ接するひげ剃り平面Ｐ３の下方に配置され得る。例えば、ブリッジ部材２６の上面３２は、平面Ｐ３の約０．０１ｍｍ下方から、平面Ｐ３の約０．１５ｍｍ下方までの平面Ｐ１上に配置されてもよい。一次ガード１４及び二次キャップ１６の上面は、平面Ｐ３と平面Ｐ１との間に配置されてもよい。したがって、ヒステリシス効果が非常に小さいひげ剃りが提供され得るが、刃先２２及び２４は、皮膚上に増加した刃荷重を有し、したがって、より近いひげ剃りのために毛髪をより良好に係合する。
【００３４】
本明細書にて開示された寸法及び値は、列挙された正確な数値に厳密に限定されるものとして理解されるべきではない。代わりに、特に指示がない限り、このような各寸法は、列挙された値とその値を囲む機能的に同等な範囲との両方を意味することが意図されている。例えば、「４０ｍｍ」として開示されている寸法は、「約４０ｍｍ」を意味することが意図されている。更に、寸法は、典型的な製造許容差によるずれを許容しない、不可能なほど高い形而上学的識別基準に固執されるべきではない。したがって、「約」という用語は、典型的な製造の許容誤差の範囲内であると解釈されるべきである。
【００３５】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本明細書に援用される。いかなる文献の引用も、本明細書中で開示又は特許請求される任意の発明に対する先行技術であるとはみなされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００３６】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
0006908734.tif 000002
【図２Ａ】
0006908734.tif 000003
【図２Ｂ】
0006908734.tif 000004
【図３Ａ】
0006908734.tif 000005
【図３Ｂ】
0006908734.tif 000006
【図３Ｃ】
0006908734.tif 000007
【図４Ａ】
0006908734.tif 000008
【図４Ｂ】
0006908734.tif 000009
【図４Ｃ】
0006908734.tif 000010